(57)【要約】      （修正有）【課題】ＭＢＭＳ動的スケジューリング情報を処理する方法および装置を提供する。【解決手段】無線通信システムのネットワーク端末のＭＢＭＳ動的スケジューリング情報を処理する方法が開示される。方法は、ＭＢＭＳ動的スケジューリング情報を搬送するＭＡＣ制御エレメントを生成する段階と、ＭＡＣ制御エレメントを対応するＰＭＣＨ上に送信するためにＭＣＣＨ固有ＭＣＳを利用する段階とを備える。【選択図】図１
2011010294.tif 000002
【特許請求の範囲】
【請求項１】
無線通信システムのネットワーク端末のＭＢＭＳ動的スケジューリング情報を処理する方法であって、
ＭＢＭＳ動的スケジューリング情報を搬送するＭＡＣ制御エレメントを生成する段階と、
前記ＭＡＣ制御エレメントを対応するフィジカルマルチキャストチャネル（Physical Multicast Channel（ＰＭＣＨ））上に送信するためにマルチキャストコントロールチャネル（Multicast Control Channel（ＭＣＣＨ））固有モジュレイションアンドコーディングスキーム（Modulation and Coding Scheme（ＭＣＳ））を利用する段階と
を備える方法。
【請求項２】
前記ＭＢＭＳ動的スケジューリング情報は、マルチキャストチャネル（Multicast Channel（ＭＣＨ））のスケジューリング期間に各マルチキャストトラフィックチャネル（Multicast Traffic Channel（ＭＴＣＨ））が利用するサブフレームを示すのに利用される請求項１に記載の方法。
【請求項３】
前記スケジューリング期間は、前記ネットワーク端末が、ＭＢＭＳ動的スケジューリング情報を搬送する１つのＭＡＣ制御エレメントを生成する期間である請求項２に記載の方法。
【請求項４】
前記ＰＭＣＨには複数のＭＴＣＨが送信目的で多重化されており、前記ＭＣＣＨは、前記ＰＭＣＨまたは他のＰＭＣＨ上に送信される請求項２または３に記載の方法。
【請求項５】
前記ＭＣＣＨおよび前記各ＭＴＣＨは同じＭＢＭＳシングルフリクエンシネットワーク（MBMS Single Frequency Network（ＭＢＳＦＮ））領域に属する請求項２から４の何れか１項に記載の方法。
【請求項６】
前記ＭＣＳは、前記無線通信システムのＵＥに対して、ブロードキャスト制御チャネル（ＢＣＣＨ）を介して送信され、前記ネットワーク端末は前記ＭＣＳを、前記ＭＣＣＨ上にデータを送信するために利用する請求項１から５の何れか１項に記載の方法。
【請求項７】
無線通信システムのネットワーク端末のＭＢＭＳ動的スケジューリング情報を処理する通信デバイスであって、
プログラムを実行するプロセッサと、
前記プロセッサに連結されて前記プログラムを格納するメモリとを備え、
前記プログラムは、
ＭＢＭＳ動的スケジューリング情報を搬送するＭＡＣ制御エレメントを生成する段階と、
前記ＭＡＣ制御エレメントを対応するフィジカルマルチキャストチャネル（Physical Multicast Channel（ＰＭＣＨ））上に送信するためにマルチキャストコントロールチャネル（Multicast Control Channel（ＭＣＣＨ））固有モジュレイションアンドコーディングスキーム（Modulation and Coding Scheme（ＭＣＳ））を利用する通信デバイス。
【請求項８】
前記ＭＢＭＳ動的スケジューリング情報は、マルチキャストチャネル（Multicast Channel（ＭＣＨ））のスケジューリング期間に各マルチキャストトラフィックチャネル（Multicast Traffic Channel（ＭＴＣＨ））が利用するサブフレームを示すのに利用される請求項７に記載の通信デバイス。
【請求項９】
前記スケジューリング期間は、前記ネットワーク端末がＭＢＭＳ動的スケジューリング情報を搬送する１つのＭＡＣ制御エレメントを生成する期間である請求項８に記載の通信デバイス。
【請求項１０】
前記ＰＭＣＨには複数のＭＴＣＨが送信目的で多重化されており、前記ＭＣＣＨは、前記ＰＭＣＨまたは他のＰＭＣＨ上に送信される請求項８または９に記載の通信デバイス。
【請求項１１】
前記ＭＣＣＨおよび前記各ＭＴＣＨは同じＭＢＭＳシングルフリクエンシネットワーク（MBMS Single Frequency Network（ＭＢＳＦＮ））領域に属する請求項８から１０の何れか１項に記載の通信デバイス。
【請求項１２】
前記ＭＣＳは、前記無線通信システムのＵＥに対して、ブロードキャスト制御チャネル（ＢＣＣＨ）を介して送信され、前記ネットワーク端末は前記ＭＣＳを、前記ＭＣＣＨ上にデータを送信するために利用する請求項７から１１の何れか１項に記載の通信デバイス。
【請求項１３】
無線通信システムのユーザ機器（ＵＥ）のＭＢＭＳ動的スケジューリング情報を処理する方法であって、
マルチキャストチャネル（Multicast Channel（ＭＣＨ））のスケジューリング期間の始めにフィジカルマルチキャストチャネル（Physical Multicast Channel（ＰＭＣＨ））上でＭＢＭＳ動的スケジューリング情報を搬送するＭＡＣ制御エレメントを受信するためにマルチキャストコントロールチャネル（Multicast Control Channel（ＭＣＣＨ））固有モジュレイションアンドコーディングスキーム（Modulation and Coding Scheme（ＭＣＳ））を利用する段階と、
前記スケジューリング期間に、前記ＭＢＭＳ動的スケジューリング情報により前記ＰＭＣＨ上で１つまたは複数のマルチキャストトラフィックチャネル（Multicast Traffic Channel（ＭＴＣＨ））のデータを受信する段階とを備える方法。
【請求項１４】
前記ＭＢＭＳ動的スケジューリング情報は、前記スケジューリング期間に各ＭＴＣＨが利用するサブフレームを示すのに利用される請求項１３に記載の方法。
【請求項１５】
前記スケジューリング期間は、前記ＵＥが、ＭＢＭＳ動的スケジューリング情報を搬送する１つのＭＡＣ制御エレメントを受信する期間である請求項１４に記載の方法。
【請求項１６】
前記スケジューリング期間の始めは、前記スケジューリング期間の第１のサブフレームを意味する請求項１３から１５の何れか１項に記載の方法。
【請求項１７】
前記ＵＥはさらに、前記ＭＣＳを利用して前記ＭＣＣＨ上でデータを受信する請求項１３から１６の何れか１項に記載の方法。
【請求項１８】
前記ＭＣＳは前記ＵＥにより、ブロードキャスト制御チャネル（ＢＣＣＨ）を介して受信される請求項１３から１７の何れか１項に記載の方法。
【請求項１９】
前記ＭＣＣＨおよび前記１つまたは複数のＭＴＣＨは同じＭＢＭＳシングルフリクエンシネットワーク（MBMS Single Frequency Network（ＭＢＳＦＮ））領域に属する請求項１３から１８の何れか１項に記載の方法。
【請求項２０】
無線通信システムのユーザ機器（ＵＥ）のＭＢＭＳ動的スケジューリング情報を処理する通信デバイスであって、
プログラムを実行するプロセッサと、
前記プロセッサに連結されて前記プログラムを格納するメモリとを備え、
前記プログラムは、
マルチキャストチャネル（Multicast Channel（ＭＣＨ））のスケジューリング期間の始めにフィジカルマルチキャストチャネル（Physical Multicast Channel（ＰＭＣＨ））上でＭＢＭＳ動的スケジューリング情報を搬送するＭＡＣ制御エレメントを受信するためにマルチキャストコントロールチャネル（Multicast Control Channel（ＭＣＣＨ））固有モジュレイションアンドコーディングスキーム（Modulation and Coding Scheme（ＭＣＳ））Ｓを利用する段階と、
前記スケジューリング期間に、前記ＭＢＭＳ動的スケジューリング情報により前記ＰＭＣＨ上で１つまたは複数のマルチキャストトラフィックチャネル（Multicast Traffic Channel（ＭＴＣＨ））のデータを受信する段階とを備える通信デバイス。
【請求項２１】
前記ＭＢＭＳ動的スケジューリング情報は、前記スケジューリング期間に各ＭＴＣＨが利用するサブフレームを示すのに利用される請求項２０に記載の通信デバイス。
【請求項２２】
前記スケジューリング期間は、前記ＵＥが、ＭＢＭＳ動的スケジューリング情報を搬送する１つのＭＡＣ制御エレメントを受信する期間である請求項２１に記載の通信デバイス。
【請求項２３】
前記スケジューリング期間の始めは、前記スケジューリング期間の第１のサブフレームを意味する請求項２０から２２の何れか１項に記載の通信デバイス。
【請求項２４】
前記ＵＥはさらに、前記ＭＣＳを利用して前記ＭＣＣＨ上でデータを受信する請求項２０から２３の何れか１項に記載の通信デバイス。
【請求項２５】
前記ＭＣＳは前記ＵＥにより、ブロードキャスト制御チャネル（ＢＣＣＨ）を介して受信される請求項２０から２４の何れか１項に記載の通信デバイス。
【請求項２６】
前記ＭＣＣＨおよび前記１つまたは複数のＭＴＣＨは同じＭＢＭＳシングルフリクエンシネットワーク（MBMS Single Frequency Network（ＭＢＳＦＮ））領域に属する請求項２０から２５の何れか１項に記載の通信デバイス。
【発明の詳細な説明】
【技術分野】
【０００１】
本願は、２００９年６月１９日出願の「Advanced MBMS reception of dynamic scheduling」なる名称の米国仮出願第６１／２１８４２５号明細書の恩恵を請求し、その内容をここに参照として組み込む。
【背景技術】
【０００２】
本発明は、ＭＢＭＳ動的スケジューリング情報を処理する方法および装置に係り、より詳しくは、無線通信システムのネットワーク端末のＭＢＭＳ動的スケジューリング情報のモジュレイションアンドコーディングスキーム（Modulation and Coding Scheme（ＭＣＳ））を決定する方法および装置に係る。
【０００３】
第３世代移動体通信システム（３ＧＰＰ）は、３Ｇモバイル通信システムのマルチメディア性能の向上を目指して、ユニバーサルモバイルテレコミニケーションシステム（Universal Mobile Telecommunications System（ＵＭＴＳ））の既存のネットワークアーキテクチャに構築されたポイントツーマルチポイントベアラサービスであるマルチメディアブロードキャストマルチキャストサービス（Multimedia Broadcast Multicast Service（ＭＢＭＳ））を導入した。ＭＢＭＳにより、単一のソース端末が、複数のユーザ機器（ＵＥ）に対してインターネットプロトコル（ＩＰ）パケットを介して同時にデータを送信することができる。
【０００４】
しかしながら、モバイルデバイスのマルチメディア性能の向上に伴い、モバイルデバイスを介したマルチメディアあるいはモバイルＴＶサービスに対する消費者の関心が高まっている。この要求に応えるべく、３ＧＰＰは、ロングタームエボリューション（ＬＴＥ）リリース９仕様の高度なＭＢＭＳ（ｅＭＢＭＳ）を導入して、高品質のストリーミングマルチメディアおよびリアルタイムＭＢＭＳサービスをサポートしている。
【０００５】
ｅＭＢＭＳはＭＢＭＳ送信用に単一周波数ネットワーク（ＳＦＮ）処理（ＭＢＭＳ単一周波数ネットワーク（ＭＢＳＦＮ））を導入して、送信中の周波数切り替えによるサービスの中断を低減させている。ＭＢＳＦＮでは、多数のセルが単一の周波数を利用して、同時に同期化された送信を行うことで、周波数リソースを節約し、スペクトル利用効率を高めている。
【０００６】
ｅＭＢＭＳは、マルチキャストコントロールチャネル（Multicast Control Channel（ＭＣＣＨ））とマルチキャストトラフィックチャネル（Multicast Traffic Channel（ＭＴＣＨ））という２つの論理チャネルのみの定義によりポイントツーマルチポイント（ｐ−ｔ−ｍ）ダウンリンク送信をサポートしている。ＭＣＣＨは、ＭＢＳＦＮの全てのＭＢＭＳサービスの制御メッセージを送信するために利用され、ＭＴＣＨは、ＭＢＭＳサービスのセッションデータを送信するために利用される。ＭＣＣＨおよびＭＴＣＨは両方とも、ｅＭＢＭＳにより新たに定義された送信チャネル（ＭＣＨ（マルチキャストチャネル））にマッピングされる。
【０００７】
現在の仕様では、３ＧＰＰ変更要求Ｒ２−０９３５３３はＭＢＭＳ機能のステージ２の更新である。以下のマルチセル送信に関する説明はこの文献からの引用である。
（１）  ＭＢＭＳの同期送信をＭＢＳＦＮ領域内で行う。
（２）  複数のセルからのＭＢＭＳ送信の組み合わせをサポートする。
（３）  ＭＣＨに単一送信を利用する（つまり、ブラインドＨＡＲＱの繰り返しもＲＬＣクイックリピートも行わない）。
（４）  ＭＣＨ送信のＴＴＩにつき単一のトランスポートブロックを利用して、ＴＢがサブフレーム内の全てのＭＢＳＦＮリソースを利用する。
（５）  ＭＴＣＨおよびＭＣＣＨは、同じＭＣＨ上で多重化可能であり、ｐ−ｔ−ｍ送信のためにＭＣＨ上にマッピングされる。
【０００８】
一般的に、ＭＢＳＦＮはＭＣＣＨを有する。しかし、高度なノードＢ（ｅＮＢ）が複数のＭＢＳＦＮ領域により同時にカバーされると、ｅＮＢが複数のＭＣＣＨを有してしまうこともある。これに加えて、ＭＢＳＦＮ領域は同時に複数のＭＢＭＳサービスをサポートしており、異なるＭＢＭＳサービスが異なる特徴に応じた異なる要件を有していることがあるので（例えばサービス品質（ＱｏＳ）、ブロック誤り率（ＢＬＥＲ））、ＭＢＳＦＮ領域も複数のＭＣＨを有することがある。異なるＭＣＨは、異なるＭＢＭＳサービスの要件を、それぞれ異なる変調および符号化スキームを用いることにより満たす。ＭＣＣＨの主な役割は、以下の制御パラメータをこれらＭＣＨに対して提供することである。
（１）  ＭＣＳ：各ＭＣＨの符号化および変調スキームを示す。
（２）  ＭＢＭＳサービスリスト：各ＭＣＨが現在提供中のＭＢＭＳサービスのリストであり、ＭＢＭＳサービスＩＤおよびセッションＩＤを含み、さらに、ＭＢＭＳサービスの対応する論理チャネルＩＤ（ＬＣＩＤ）を含む。ＭＢＭＳサービスリストが現在処理中のＭＢＭＳサービスのセッション情報しか提供しないことは留意に値する。つまり、ＭＢＭＳサービスのいずれかのセッションが終了すると、ネットワーク端末はＭＢＭＳサービスのセッション情報をＭＢＭＳサービスリストから削除し、該ＭＢＭＳサービスに関与しているＵＥに対して、ＭＢＭＳサービスセッションの終了を通知する。
（３）  ＭＣＨサブフレーム割り当てパターン（ＭＳＡＰ）：あるスケジューリング期間に各ＭＣＨが利用するサブフレームのパターンを定義するものである。ＭＣＨが利用するこれらサブフレーム一式は、ＭＳＡＰオケージョンと称される。各ＭＳＡＰオケージョンでは、ネットワーク端末は、送信用に、ＭＣＨの物理層チャネルであるＰＭＣＨ（Physical Multicast Channel）の異なるＭＢＭＳサービスに対応するＭＣＣＨおよび複数のＭＴＣＨを多重化することができる。
【０００９】
ＭＢＭＳのＵＥがいずれか１つのサービスのみに興味を持つ場合であっても、ＭＣＨは複数のＭＢＭＳサービスを同時に提供するので、現在の仕様ではさらにＭＣＨ用の動的スケジューリング情報（ＤＳＩ）が提供されて、各ＭＴＣＨがＭＳＡＰオケージョンで利用するサブフレームが示される。動的スケジューリング情報には以下の原理が利用される。
（１）  動的スケジューリング情報は、ＭＣＨ上に送信目的であろうとなかろうと複数のサービスが多重化されているか否かに関わらず利用される。
（２）  動的スケジューリング情報はｅＮＢにより生成され、各ＭＳＡＰオケージョンの始めに送信される（例えば最初のサブフレームで）。
（３）  動的スケジューリング情報により、ＵＥは各ＭＴＣＨで利用されるサブフレームを決定することができる。
（４）  動的スケジューリング情報の搬送方法は今後の研究に期待されている（例えば、動的スケジューリング情報は、ＭＡＣ制御エレメントにより搬送することもでき、あるいは、別途論理チャネル（例えばＭＳＣＨ（Multicast Scheduling Channel）等）により送信することもできる。）
（５）  ＭＴＣＨとそれに対応するサブフレームとの間のマッピング関係は、各ＭＳＡＰオケージョンに属しているサブフレームのインデックスに応じて決定される。
【００１０】
このような状況下で、３ＧＰＰ変更要求Ｒ２−０９３０９３は動的スケジューリング情報の搬送用にＭＢＭＳスケジューリング情報ＭＡＣ制御エレメントの利用を提唱しており、ＭＢＭＳスケジューリング情報ＭＡＣ制御エレメントでは、各ＭＢＭＳサービスが該ＭＢＭＳサービス用の１つの終了ポイントインデックス（ＥＰＩ）フィールドを含むことで、現在のスケジューリング期間における各ＭＢＭＳサービスの最後のサブフレームのインデックスを示そうとしている。
【００１１】
加えて、異なるＭＣＨが異なるＭＣＳを利用する可能性があることを除いては、３ＧＰＰはさらに、論理チャネル固有ＭＣＳを有することで、同じＭＣＨ上に送信された各論理チャネルについて異なるＱｏＳをサポートする。例えば、同じＭＣＨ上に送信された異なるＭＴＣＨが異なるＭＣＳを有することがあり、あるいは、同じＭＣＨ上に送信された複数のＭＴＣＨおよびＭＣＣＨが異なるＭＣＳを有することがある。
【００１２】
上述のことから、動的スケジューリング情報が同じサブフレームのＭＣＨ／ＰＭＣＨ上でＭＣＣＨまたはＭＴＣＨとともに送信されることがあることが明白である。ＭＣＣＨはＭＢＭＳサービスリストおよび受信関連情報（例えば各サービスに関するＭＴＣＨ／ＰＭＣＨ構成）を搬送するので、ＭＣＣＨの受信に成功するまではＵＥがＭＢＭＳサービスを受信できないので、ＭＣＣＨの誤り率要件は、動的スケジューリング情報のものよりもクリティカルであると信じられている。故に、動的スケジューリング情報が同じサブフレームのＭＣＣＨと一緒に送信される場合、ＰＭＣＨの符号化・復号化目的でＭＣＣＨのＭＣＳを利用すると簡単明瞭である。
【００１３】
しかし、現在の仕様では、各ＭＣＣＨ受信期間全てにおいてＭＣＣＨを送信しており、これと同時に、動的スケジューリング情報がＭＳＡＰオケージョンの開始時に送信される。ＭＣＣＨ受信期間はＭＳＡＰオケージョンの期間と異なる場合があるので、動的スケジューリング情報が、ＭＣＣＨを伴わないで１サブフレームで送信される可能性がある。この場合には、動的スケジューリング情報は、ＭＴＣＨとともに１サブフレームで送信されることになりうる。この場合、一見、現在のＭＴＣＨのＭＣＳを動的スケジューリング情報の送信に利用できるように見える。しかし、動的スケジューリング情報の受信前には、ＵＥは、その動的スケジューリング情報とともに送信されるのがどのＭＴＣＨかを知ることができない。従って、これができない。
【００１４】
故に、ＭＣＣＨが同じサブフレーム内に存在していない場合には、動的スケジューリング情報の受信用のＭＣＳを決定する術がない。この結果、動的スケジューリング情報をＵＥが正確に受信できない場合がでてくる。
【発明の概要】
【００１５】
本発明の目的の１つは、ＭＢＭＳ動的スケジューリング情報を処理する方法および装置を提供することである。
【００１６】
本発明は、無線通信システムのネットワーク端末のＭＢＭＳ動的スケジューリング情報を処理する方法を開示する。方法は、ＭＢＭＳ動的スケジューリング情報を搬送するＭＡＣ制御エレメントを生成する段階と、ＭＡＣ制御エレメントを対応するＰＭＣＨ上に送信するためにＭＣＣＨ固有ＭＣＳを利用する段階とを備える。
【００１７】
本発明はさらに、無線通信システムのネットワーク端末のＭＢＭＳ動的スケジューリング情報を処理する通信デバイスを開示する。通信デバイスは、プログラムを実行するプロセッサと、プロセッサに連結されてプログラムを格納するメモリとを備える。プログラムは、プログラムは、ＭＢＭＳ動的スケジューリング情報を搬送するＭＡＣ制御エレメントを生成する段階と、ＭＡＣ制御エレメントを対応するＰＭＣＨ上に送信するためにＭＣＣＨ固有ＭＣＳを利用する。
【００１８】
本発明は、無線通信システムのユーザ機器（ＵＥ）内でＭＢＭＳ動的スケジューリング情報を処理する方法を開示する。方法は、ＭＣＨのスケジューリング期間の始めにＰＭＣＨ上でＭＢＭＳ動的スケジューリング情報を搬送するＭＡＣ制御エレメントを受信するためにＭＣＣＨ固有ＭＣＳを利用する段階と、スケジューリング期間に、ＭＢＭＳ動的スケジューリング情報によりＰＭＣＨ上で１つまたは複数のＭＴＣＨのデータを受信する段階とを備える。
【００１９】
本発明はさらに、無線通信システムのユーザ機器（ＵＥ）のＭＢＭＳ動的スケジューリング情報を処理する通信デバイスを開示する。通信デバイスは、プログラムを実行するプロセッサと、プロセッサに連結されてプログラムを格納するメモリとを備える。プログラムは、ＭＣＨのスケジューリング期間の始めにＰＭＣＨ上でＭＢＭＳ動的スケジューリング情報を搬送するＭＡＣ制御エレメントを受信するためにＭＣＣＨ固有ＭＣＳを利用する段階と、スケジューリング期間に、ＭＢＭＳ動的スケジューリング情報によりＰＭＣＨ上で１つまたは複数のＭＴＣＨのデータを受信する段階とを備える。
【００２０】
本発明のこれらの目的およびその他の目的は、当業者が様々な図面に示された好適な実施形態の以下の詳細な説明を読むことによりよく理解されるであろう。
【図面の簡単な説明】
【００２１】
【図１】無線通信システムの概略図である。
【図２】無線通信デバイスの機能ブロック図である。
【図３】図２のプログラムコードの概略図である。
【図４】本発明の一実施形態によるプロセスの概略図である。
【図５】本発明の別の実施形態によるプロセスの概略図である。
【発明を実施するための形態】
【００２２】
図１は、無線通信システム１０の概略図である。無線通信システム１０は、ＬＴＥ−Ａシステムとして好適であり、簡潔にいうと、１つのネットワークと複数のユーザ機器（ＵＥ）とを含む。図１ではネットワークおよび複数のＵＥは、単に無線通信システム１０の構造を例示する目的で示されている。実際のネットワークは、必要に応じて複数の基地局（ノードＢ）、無線ネットワークコントローラ等を含み、ＵＥはモバイルフォン、コンピュータシステム等のデバイスであってよい。
【００２３】
図２は、無線通信デバイスの通信デバイス１００の機能ブロック図である。通信デバイス１００は、図１のＵＥまたはネットワークを実現するために利用することができる。説明を簡潔にする目的から、図２は、通信デバイス１００の入力デバイス１０２、出力デバイス１０４、制御回路１０６、中央処理装置（ＣＰＵ）１０８、メモリ１１０、プログラム１１２、およびトランシーバユニット１１４のみを示している。通信デバイス１００の制御回路１０６は、ＣＰＵ１０８によりメモリ１１０のプログラムコード１１２を実行して、通信デバイス１００の動作を制御する。通信デバイス１００は、入力デバイス１０２（キーボード等）を介してユーザが入力した信号を受信することができ、出力デバイス１０４（モニタまたはスピーカ）を介して画像および音声を出力することができる。トランシーバユニット１１４は、無線信号を送受信し、制御回路１０６に受信信号を伝送し、無線により制御回路１０６が生成した信号を出力することに利用される。通信プロトコルフレームワークの観点からは、トランシーバユニット１１４は、層１の一部としてみることができ、制御回路１０６は層２および層３の機能を実現するために利用可能である。
【００２４】
図３を引き続き参照して説明を行う。図３は、図２に示すプログラム１１２を示す。プログラム１１２は、アプリケーション層２００、層３  ２０２、および層２  ２０６を含み、層１  ２１８に結合されている。層３  ２０２は、無線リソース制御を行う。層２  ２０６は、無線リンク制御（ＲＬＣ）層および媒体アクセス制御（ＭＡＣ）層を含み、リンク制御を行う。層１  ２１８は、物理的接続を行う。
【００２５】
無線通信デバイス１０は、高度なＭＢＭＳ（ｅＭＢＭＳ）を提供して、高品質のストリーミングマルチメディアおよびリアルタイムＭＢＭＳマルチキャスト／ブロードキャストサービスをサポートしている。ｅＭＢＭＳは、ＭＣＣＨ（Multicast Control Channel）とＭＴＣＨ（Multicast Traffic Channel）という２つの論理チャネルのみの定義によりポイントツーマルチポイント（ｐ−ｔ−ｍ）ダウンリンク送信をサポートしている。ＭＣＣＨは、ＭＢＳＦＮの全てのＭＢＭＳサービスの制御メッセージを送信するために利用され、ＭＴＣＨは、ＭＢＭＳサービスのセッションデータを送信するために利用される。ＭＣＣＨおよびＭＴＣＨは両方とも、ｅＭＢＭＳにより新たに定義された送信チャネル（ＭＣＨ（マルチキャストチャネル））にマッピングされる。
【００２６】
ＭＢＭＳのＵＥがいずれか１つのサービスのみに興味を持つ場合であっても、ＭＣＨは複数のＭＢＭＳサービスを同時に提供するので、ＭＣＨ用の動的スケジューリング情報（ＤＳＩ）が提供されて、各ＭＴＣＨがＭＣＨサブフレーム割り当てパターン（ＭＳＡＰ）オケージョンで利用するサブフレームが示される。これに加えて、異なるＭＣＨ同士が異なるＭＣＳを利用しうることを除いては、同じＭＣＨ上で送信される各論理チャネルの別のＱｏＳをサポートする論理チャネル固有ＭＣＳを備えることが提唱されている。例えば、同じＭＣＨ上で送信された異なるＭＴＣＨ同士は異なるＭＣＨを有してよく、あるいは、同じＭＣＨ上で送信された複数のＭＴＣＨおよびＭＣＣＨは、異なるＭＣＳを有してよい。
【００２７】
このような状況において、本発明はプログラム１１２で動的スケジューリング情報プログラム２２０を提供することで、動的スケジューリング情報を送信するためのＭＣＳを決定してＭＢＭＳスケジューリング効率を高める。図４は、本発明の一実施形態によるプロセス４０の概略図である。プロセス４０は、無線通信システムのネットワーク端末のＭＢＭＳ動的スケジューリング情報を処理するために利用され、動的スケジューリング情報プログラム２２０にコンパイルされうる。プロセス４０は以下のステップを含む。
ステップ４００：開始。
ステップ４０２：ＭＢＭＳ動的スケジューリング情報を搬送するＭＡＣ制御エレメントを生成する。
ステップ４０４：対応するＰＭＣＨ上にＭＡＣ制御エレメントを送信するためにＭＣＣＨ固有ＭＣＳを利用する。
ステップ４０６：終了。
【００２８】
プロセス４０によると、ネットワーク端末は先ず、ＭＢＭＳ動的スケジューリング情報を搬送するＭＡＣ制御エレメント（つまり、ＭＢＭＳスケジューリング情報ＭＡＣ制御エレメント）を生成する。そして、ネットワーク端末は、対応するＰＭＣＨ上にＭＡＣ制御エレメントを送信するためにＭＣＣＨ固有ＭＣＳを利用する。ＰＭＣＨは、ＭＣＣＨから多重化されたデータおよび複数のＭＴＣＨを送信するための、ＭＡＣ層のマルチキャストチャネル（ＭＣＨ）に対応しているが、ＭＣＣＨは他のＰＭＣＨ上で送信されることもある。
【００２９】
つまり、動的スケジューリング情報が同じサブフレームのＭＣＣＨとともに送信されるかされないかに関わらず、本発明の実施形態によるネットワーク端末は、ＰＭＣＨ上で動的スケジューリング情報を搬送するＭＡＣ制御エレメントを送信するためにＭＣＣＨ固有ＭＣＳを利用する。この結果、ＵＥは、正しいＭＣＳを利用して、動的スケジューリング情報を受信するためのＰＭＣＨを復号化することができる。
【００３０】
先行技術セクションで説明したが、動的スケジューリング情報は、ＭＣＨのスケジューリング期間に各ＭＴＣＨが利用するサブフレームを示すのに利用され、スケジューリング期間は、ＭＡＳＰオケージョンの期間である。加えて、ＭＢＭＳスケジューリング情報ＭＡＣ制御エレメントは一般的に、各スケジューリング期間の始め（つまり、スケジューリング期間の第１のサブフレーム）に生成される。動的スケジューリング情報については以下で説明しないので、先行技術文献における説明を参照されたい。
【００３１】
他方、本発明の実施形態では、さらに、ＵＥがＭＢＭＳ動的スケジューリング情報を処理するための関連動作を提供して、ネットワークとＵＥとの間で処理を調節する。図５は、本発明の一実施形態によるプロセス５０の概略図である。プロセス５０は、無線通信システムのＵＥにおいてＭＢＭＳ動的スケジューリング情報を処理するために利用され、動的スケジューリングプログラム２２０にもコンパイルされうる。プロセス５０は以下のステップを含む。
ステップ５００：開始。
ステップ５０２：ＭＣＣＨ固有ＭＣＳを利用して、ＭＣＨのスケジューリング期間の始めにＰＭＣＨ上でＭＢＭＳ動的スケジューリング情報を搬送するＭＡＣ制御エレメントを受信する。
ステップ５０４：スケジューリング期間中に、ＭＢＭＳ動的スケジューリング情報によりＰＭＣＨ上で１または複数のＭＴＣＨのデータを受信する。
ステップ５０６：開始。
【００３２】
プロセス５０によると、スケジューリング期間の始め（スケジューリング期間の第１のサブフレーム）に、ＵＥは、ＭＣＣＨ固有ＭＣＳを利用して、ＭＢＭＳ動的スケジューリング情報（ＭＢＭＳスケジューリング情報ＭＡＣ制御エレメント）を搬送するＭＡＣ制御エレメントをＰＭＣＨ上で受信する。そして、スケジューリング期間中に、ＵＥは、ＭＢＭＳ動的スケジューリング情報によりＰＭＣＨ上で１または複数のデータを受信する。
【００３３】
故に、動的スケジューリング情報が同じサブフレームのＭＣＣＨとともに送信されるかされないかに関わらず、ＵＥは常に、ＭＣＣＨ固有ＭＣＳを利用して動的スケジューリング情報を搬送するＭＡＣ制御エレメントをＰＭＣＨ上で受信する。この結果、ＵＥは、動的スケジューリング情報を受信するためのＰＭＣＨを正しく復号化して、受信した動的スケジューリング情報によりＰＭＣＨ上で複数のＭＴＣＨのデータを受信することができる。
【００３４】
上記をまとめると、本発明の実施形態は、ＵＥにＭＢＭＳ受信を正しく行わせることのできるＭＢＭＳ動的スケジューリング情報を送信するために利用するＭＣＳを決定するための、ＭＢＭＳ動的スケジューリング情報を処理する方法を提供する。
【００３５】
当業者であれば、本発明の教示に基づいてデバイスおよび方法の変形例および変更例が数多く存在することに想到する。従って、上述の開示は、添付請求項の範囲により限定されることが意図されている。
【図１】
2011010294.tif 000003
【図２】
2011010294.tif 000004
【図３】
2011010294.tif 000005
【図４】
2011010294.tif 000006
【図５】
2011010294.tif 000007
【外国語明細書】
2011010294.tif 000008
2011010294.tif 000009
2011010294.tif 000010
2011010294.tif 000011
2011010294.tif 000012
2011010294.tif 000013
2011010294.tif 000014
2011010294.tif 000015
2011010294.tif 000016
2011010294.tif 000017
2011010294.tif 000018
2011010294.tif 000019
2011010294.tif 000020
2011010294.tif 000021
2011010294.tif 000022
2011010294.tif 000023
2011010294.tif 000024
2011010294.tif 000025
2011010294.tif 000026
2011010294.tif 000027
2011010294.tif 000028